(57)【要約】【課題】円筒形ジグソーパズルの構造的強度を高めた、伸張可能な改良型円筒形ジグソーパズルを提供すること。【解決手段】円筒形ジグソーパズルは、外側フランジ２１と、内側フランジ２２と、前記外側フランジと内側フランジとの間の第１間隙２３と、リング体３１を有する頂部リム３と、前記リング体の内面から伸びる位置決めフランジ３２と、前記リング体と位置決めフランジとの間に設けられた第２間隙３４と、頂部パズル・ピース１１であって、それぞれが頂部リムの第２間隙に対応しかつ該間隙に受け入れられた第１組立縁部１１１を有する頂部パズル・ピース１１と、それぞれが底部リムの第１間隙に対応しかつ該間隙に受け入れられた第２組立縁部１３１を底部パズル・ピースとを含む。頂部リムが上に取り付けられた頂部パズル・ピースと、底部リムが下に取り付けられた底部パズル・ピースと、頂部リムの上に取り付けられたキャップとの間の結合により、円筒を完成することができる。【選択図】図１
2007195784.tif 000002
【特許請求の範囲】
【請求項１】
円筒形のジグソーパズルであって、
外側フランジと、該外側フランジと一体に形成された内側フランジと、前記外側フランジと内側フランジとの間に形成された第1間隙とを有する底部リムと、
リング体を有する頂部リムと、前記リング体の内面から伸びる位置決めフランジと、前記リング体と位置決めフランジとの間に形成された第２間隙と、
頂部パズル・ピースであって、それぞれが前記頂部リムの第２間隙に対応しかつ該第２間隙に受け入れられた第１組立縁部と、前記リング体の周縁に当接するように前記組立縁部に隣接する面に形成された第1段部と、前記頂部パズル・ピースの相対する２つの側部からそれぞれ伸びる２つの接続アームと、前記組立縁部が形成された側面と反対側の側面に形成された切欠部とを有する頂部パズル・ピースと、
底部パズル・ピースであって、それぞれが前記底部リムの前記第１間隙に対応しかつ該第１間隙に受け入れられた第２組立縁部と、前記外側フランジの周縁部に当接するように第２組立縁部の縁部に隣接する面に形成された第２段部と、底部パズル・ピースの相対する２つの側面からそれぞれ伸びる２つの接続アームと、前記第２組立縁部が形成された側面と反対側の側面に形成された切欠部とを有する底部パズル・ピースとを含む、円筒形のジグソーパズル。
【請求項２】
前記頂部パズル・ピースと底部パズル・ピースとの間に挟まれた中間パズル・ピースを含み、各中間パズル・ピースは、前記頂部パズル・ピース及び底部パズル・ピースの切欠部に対して相補形になるように、中間パズル・ピースの相対する２つの側部に形成された２つの伸長アームと、前記頂部のパズル・ピース及び前記底部のパズル・ピースの接続アームに相補形になるように相対する２つの両側部に設けられた２つの接続用切欠部とを含む、請求項１に記載の円筒形ジグソーパズル。
【請求項３】
前記頂部リムは、前記頂部パズル・ピースを保持すべく位置決めフランジに形成された複数の位置決めピース（３２１）を有する、請求項１または２に記載の円筒形ジグソーパズル。
【請求項４】
前記頂部パズル・ピース及び前記底部パズル・ピースのそれぞれは、各後側面に形成された凹所を有し、各位置決めピースは、該位置決めピースの外面に形成された位置決めリブを有し、前記頂部パズル・ピースの第１組立縁部が前記頂部リムの第2間隙に挿入された後、位置決めピース上の位置決めリブが前記頂部パズル・ピースを保持することができる、請求項１または２に記載の円筒形ジグソーパズル。
【請求項５】
前記頂部パズル・ピースと前記底部パズル・ピースのそれぞれは、その後部側面に規定された凹所を有し、各位置決めピースは、該位置決めピースの外面に形成された位置決めリブを有し、前記頂部パズル・ピースの第１組立縁部が前記頂部リムの第2間隙に挿入された後、前記位置決めリブピース上の前記位置決めリブが前記頂部パズル・ピースを保持することができる、請求項３に記載の円筒形ジグソーパズル。
【請求項６】
前記底部リムは、内側フランジに形成された複数のクランピング・ピースを有し、各クランピング・ピースは、第２組立縁部が前記底部リムの第1間隙に挿入された後、前記クランピング・ピース上のボスが前記底部パズル・ピースを保持することができるように、その外面に形成されたボスを有する、請求項５に記載の円筒形ジグソーパズル。
【請求項７】
複数の中間パズル・ピースであって、それぞれが前記頂部パズル・ピースと前記底部パズル・ピースの切欠部に対して相補形になるように両側に対向して形成された２つの伸長アームを有する複数の中間パズル・ピースと、前記頂部パズル・ピースと底部パズル・ピースの接続アームに対して相補形になるように２つの対向する側部に設けられた接続用切欠部とを含み、
前記頂部リムは、さらに、前記リング体の内面から、前記位置決めフランジに対向するように上方に伸びる伸張フランジと、
第１固定リブであって、前記頂部リムの中心軸線に対して傾斜するように、かつ、細長い貫通穴を有するキャップの内面に形成された第2固定リブに対応するように形成され、前記第1固定リブと第2固定リブとの間の結合が前記頂部リムの上のキャップを固定することができるように、前記キャップの中心軸線に対して傾斜するように形成された第1固定リブとを含む、請求項６に記載の円筒形ジグソーパズル。
【請求項８】
前記各頂部パズル・ピースは、その後部側面に規定された凹所を有し、前記凹所の領域を規定する底面から前記第１組立縁部の頂面までの厚さが、各位置決めピースの底面から前記第１組立対縁部までの厚さが、前記各位置決めピースの底面から前記位置決めリブまでの距離とほぼ同じであり、各底部パズル・ピースは、その後部側面に規定された凹所を規定された凹所を有し、前記凹所を規定する底面から前記第２組立縁部の縁部の頂面までの厚さは、各クランピング・ピースの底面から前記ボスまでの距離とほぼ同じである、請求項７に記載の円筒形ジグソーパズル。
【発明の詳細な説明】
【技術分野】
【０００１】
本発明は、円筒形ジグソーパズル、特に、伸張可能なジグソーパズルに関する。
【背景技術】
【０００２】
一般の円筒形ジグソーパズルは、完成後２つの隣接する弓形のパズル・ピースの相互結合により、面上に単独で立つことができる。しかし、全体の構造的な関係は、相互補完的なアームと、２つの隣接するパズル・ピースの切欠部とに依存するため、円筒形ジグソーパズルの頂縁部と底縁部とは、衝撃が頂縁部及び底縁部に加えられると、円筒形ジグソーパズルが容易に破壊または損なわれるため、支えがなくなり、構造的に弱い。
【０００３】
この円筒形ジグソーパズルの欠陥を克服するため、従来の円筒形ジグソーパズルの構造的強度が高められるように、頂縁部と底縁部のための枠が取り付けられた改良型円筒形ジグソーパズルが市場に導入されている。
【０００４】
円筒形ジグソーパズルの頂縁部及び底縁部用の枠があるため、このジグソーパズルの構造的強度は増すが、ジグソーパズルの伸張は限られる。すなわち、枠がジグソーパズルに加えられると、伸張することができないので、その構造は固定される。異なる要求がある場合、この従来のジグソーパズルはそれらの要求を満たすことが不可能である。
【発明の開示】
【発明が解決しようとする課題】
【０００５】
この欠陥を克服するため、本発明は上記の問題を緩和する円筒形ジグソーパズルを提供する。
【課題を解決するための手段】
【０００６】
本発明の主な目的は、複数のパズル・ピースと、底部リムと、頂部リムと、頂部リムにキャップが取り付けられているか否かによって円筒形ジグソーパズルが伸張できるように、該頂部リムの上に選択的におかれる任意のキャップとを有する円筒形ジグソーパズルを提供する。
【発明の効果】
【０００７】
本発明の特徴によれば、このパズル・ピースは、頂部パズル・ピース、中間パズル・ピース、及び底部パズル・ピースに分けられる。各頂部パズル・ピースは組立体縁部、該組立体縁部に隣接する面に形成された段部、頂部パズル・ピースの対向する２つの側部からそれぞれ伸びる２つの接続アーム、及び前記組立体縁部が形成された側面と反対側の側面に規定された切欠部を有する。また、各底部パズル・ピースは、組立体縁部と、その組立体縁部に隣接する面に形成された段部と、底部パズル・ピースの両側からそれぞれ延びる２つの接続アームと、組立体縁部が形成されている側面と反対側の側面に形成された切欠部とを有する。
【０００８】
本発明の別の特徴によれば、前記頂部パズル・ピースまたは底部パズル・ピースは、それらの後側面に形成された凹所を有する。
【０００９】
本発明のさらに別の特徴は、底部リムが外側フランジと、それと一体に形成された内側フランジと、前記外側フランジと内側フランジとの間に設けられた第１間隙とを有することである。複数のクランピング・ピースは前記内側フランジに形成され、各クランピング・ピースはその外面にボスを形成している。前記頂部リムは、そこから下方に伸びる位置決めフランジと、前記頂部リムから上方に伸びる伸張フランジとを有する。位置決めフランジは、複数の位置決めピースをその上に形成し、それぞれのピースはそれぞれの位置決めピースの外面に位置決めリブを形成している。伸張フランジは、その外周に第１固定リブを形成している。キャップは、開放端と、閉鎖端とを有し、閉鎖端はこれを貫通する細長い穴を有する。キャップは、さらに、第１固定リブに対応するようにキャップの内周壁に形成された第２固定リブを有する。
【００１０】
本発明の他の目的、利点及び新規な特徴は、添付の図面と併せて下記の詳細な説明から明らかになろう。
【発明を実施するための最良の形態】
【００１１】
［実施例１］
図１を参照するに、本発明の円筒形ジグソーパズルは、パズル・ピース１と、底部リム２と、頂部リム３と、該頂部リムに取り付けられていないときに伸張できるように該頂部リム３の上に選択的に取り付けられる任意のキャップ４とを含む。
【００１２】
底部リム２は、閉鎖端と、開放端とを有し、外側フランジ２１と、該外側フランジと一体に形成された内側フランジ２２と、外側フランジ２１と内側フランジ２２との間に設けられた第１間隙２３とからなる。複数のクランピング・ピース２３１は内側フランジ２２に形成され、各クランピング・ピース２３１は、クランピング・ピース２３１の外面に形成されたボス２３２を有する。
【００１３】
頂部リム３は、リング体３１と、リング体３１の内面から下方にのびる位置決めフランジ３２と、頂部リムのリング体３１の内面から上方に伸びる伸張フランジ３３とからなる。位置決めフランジ３２は、その上に形成された複数の位置決めピース３２１と、それぞれの位置決めピース３２１の外面に形成された位置決めリブ３２２とを有する。伸張フランジ３３は、その外周に形成され、頂部リム３の中心軸線に対して傾斜している第１固定リブを有する。
【００１４】
キャップ４は、開放端と閉鎖端とを有する。裾は閉鎖端の周縁から下方に伸び、前記裾の内面には第２固定リブ４２が、キャップ４の中心軸線に対して傾斜して形成されている。細長い穴４１がキャップ４の閉鎖端を貫通して設けられている。
【００１５】
図１，２Ａ及び２Ｂを参照するに、パズル・ピース１は、頂部パズル・ピース１１、中間パズル・ピース１２、及び底部パズル・ピース１３に分けられる。各頂部パズル・ピース１１は、組立体縁部１１１と、該組立体縁部に隣接する面に形成された段部１１２と、頂部パズル・ピース１１の両側からそれぞれ伸びる全２つの接続アーム１１３と、組立体縁部１１１が形成されている側面と反対側の側面に設けられた切欠部１１４とを有する。また、各底部パズル・ピース１３は、組立体縁部１３１と、組立体１３１に隣接する面に形成された段部１３２と、底部パズル・ピース１３の両側からそれぞれ伸びる全２つの接続アーム１３３と、組立体縁部１３２が形成されている側面と反対側の側面に規定された切欠部１３４とを有する。
【００１６】
さらに、頂部パズル・ピース１１及び底部パズル・ピース１３は、頂部パズル・ピース１１の後部側面に形成された凹所１１５、１３５と、底部パズル・ピース１３とを有する。凹所１１５，１３５を規定する底面から組立体縁部１１１、１３１の頂面までの厚さは、頂部パズル・ピース１１が頂部リム３の第２間隙３４に挿入されたとき、位置決めリブ３２２が組立体縁部１１５に対向する底面に当接することができるように、位置決めピース３２１の底面から位置決めリブ３２２までの距離、またはクランピング・ピース２３１の頂面からボス２３２までの距離とほぼ同じである。また、底部パズル・ピース１３が底部リム２の第１間隙２３に挿入されると、ボス２３２は底部パズル・ピース１３の組立体縁部１３１が形成された側面と反対側の底面に当接可能になる。
【００１７】
図１，３Ａ及び３Ｂを参照するに、中間パズル・ピース１２は、その両側から頂部パズル・ピース１１の切欠部１１４、１３４に相補形に伸びる対向する伸長アーム１２１と、底部パズル・ピース１３と、その両側に頂部パズル・ピース１１と底部パズル・ピース１３とに相補形に規定された接続切欠部１２２とを有する。また、各中間パズル・ピース１２は、頂部パズル・ピース１１と底部パズル・ピース１３の厚さと同じ厚さを有する。
【００１８】
図４を参照するに、本発明の円筒形ジグソーパズルが組み立てられると、接続アーム１１３と切欠部１１４との相関関係に加えて、各頂部パズル・ピース１１の組立体縁部１１１が第２間隙３４に挿入され、位置決めリブ３２２が凹所１１５を有してして組立体縁部１１１に対向する底面に当接するため、頂部パズル・ピース１１の構造的強度が高められる。さらに、接続アーム１３３と切欠部１３４との相関関係に加えて、各底部パズル・ピース１３の組立体縁部１３１は、第１間隙２３に挿入され、ボス２３２は凹所１３５を規定して組立体縁部１３１に対向する底面に当接するため、底部パズル・ピース１３の構造的強度が高められる。なお、頂部パズル・ピース１１の段部１１２、１３２と、底部パズル・ピース１３とは、それぞれリング体３１の底部周縁と外側フランジ２１とに当接される。その後、第１固定リブ３３１と第２固定リブ４２との結合により、キャップ４は図５に示すように、頂部リム３の上にしっかりと取り付けられる。このように、ユーザーは銭函として示される構造を使用することができる。
【００１９】
［実施例２］
図６を参照するに、ユーザーは、キャップ４を取り除けば、本発明の円筒形ジグソーパズルをペン入れとして使用することができる。
【００２０】
［実施例３］
さらに、中間パズル・ピース１２がなくても、円筒形ジグソーパズルは組み立てられる。すなわち、頂部パズル・ピース１１の接続アーム１１３は、底部パズル・ピース１３の切欠部１３４と相補形であり、頂部パズル・ピース１１の切欠部１１４は、底部パズル・ピース１３の接続アーム１３３と相補形であるため、頂部パズル・ピース１１と底部パズル・ピース１３の接続アーム１１３、１３３及び切欠部１１４、１３４との結合は、円筒を形成することができる。頂部リング３と、底部リム２と、キャップ４とをパズル・ピース１１，１３に取り付けると、円筒形ジグソーパズルが完成する。
【００２１】
［実施例４］
図８を参照するに、ユーザーは、図７における底部リム２を取り除いた後、図７に示す構造を直接図６に示す構造に使用してもよい。すなわち、頂部リム３は、頂部パズル・ピース１１と底部パズル・ピース１３とを結合するために使用される。
【００２２】
本発明の多くの特徴及び利点を、構造及び機能の詳細と共に説明してきたが、その開示は例として挙げたもので、細部、特に形状、寸法、及び部品の配置については、本発明の原理内で変更可能である。
【産業上の利用可能性】
【００２３】
本発明は上記の実施例に限定されず、その趣旨を逸脱しない限り、種々に変更することができる。
【図面の簡単な説明】
【００２４】
【図１】本発明の円筒形ジグソーパズルの分解斜視図。
【図２】頂部パズル・ピース及び底部パズル・ピースの構造を示す斜視図。
【図３】中間パズル・ピースの構造を示す斜視図。
【図４】頂部パズル・ピース、中間パズル・ピース及び底部パズル・ピース間の結合を示す略横断面図。
【図５】本発明の実施例１を示す斜視図。
【図６】本発明の実施例２を示す斜視図。
【図７】本発明の実施例３を示す斜視図。
【図８】本発明の実施例４を示す斜視図。
【符号の説明】
【００２５】
１  パズル・ピース
２  底部リム
３  頂部リム
４  キャップ
１１  頂部パズル・ピース
１２  中間パズル・ピース
１３  底部パズル・ピース
２３、３４  間隙
３１  リング体
１１２、１３２  段部
１１３、１３３  接続アーム
１１４、１３４  切欠部
【図１】
2007195784.tif 000003
【図２】
2007195784.tif 000004
【図３】
2007195784.tif 000005
【図４】
2007195784.tif 000006
【図５】
2007195784.tif 000007
【図６】
2007195784.tif 000008
【図７】
2007195784.tif 000009
【図８】
2007195784.tif 000010